(57)【要約】      （修正有）【課題】スマートフォンのカメラ機能を使用して写真撮影をする際にスマートフォンの操作部を露出させる作業を行う必要がないネックストラップ付きスマートフォンケースを提供する。【解決手段】カメラ機能を有する略長方形板状のスマートフォン１００を首又は肩から下げて携帯するためのスマートフォンケース１０であって、スマートフォンを収容するケース本体２０と、ケース本体に連結されたネックストラップ３０と、を有し、ケース本体は、スマートフォンのメインカメラレンズを常時露出させるレンズ窓部と、スマートフォンの操作部を常時露出させる操作窓部２２と、を有する。【選択図】図９
0003226142.tif 000002
【実用新案登録請求の範囲】
【請求項１】
カメラ機能を有する略長方形板状のスマートフォンを首又は肩から下げて携帯するためのスマートフォンケースであって、
前記スマートフォンを収容するケース本体と、
前記ケース本体に連結されたネックストラップと、を有し、
前記ケース本体は、
前記スマートフォンのメインカメラレンズを常時露出させるレンズ窓部と、
前記スマートフォンの操作部を常時露出させる操作窓部と、を有することを特徴とするスマートフォンケース。
【請求項２】
前記ケース本体は、正面視及び背面視略長方形状に形成されており、
前記ケース本体の長手方向一端側に前記ネックストラップとの連結部が設けられ、
前記ケース本体の長手方向他端側に前記レンズ窓部が設けられていることを特徴とする、請求項１記載のスマートフォンケース。
【請求項３】
前記操作窓部は、前記スマートフォンの前記操作部として機能し得るタッチディスプレイの全体又は大部分を露出させ得ることを特徴とする、請求項１又は２記載のスマートフォンケース。
【請求項４】
前記ケース本体の前記長手方向一端部には前記スマートフォンを出し入れするための出入口が設けられており、当該出入口の少なくとも一部はフラップ状の蓋で開閉可能に閉じられ、当該蓋は磁気的吸着手段により閉状態に保たれることを特徴とする、請求項１から３のいずれか一項記載のスマートフォンケース。
【請求項５】
前記ケース本体の前記レンズ窓部が設けられている側の面にカード収納部が設けられていることを特徴とする、請求項１から４のいずれか一項記載のスマートフォンケース。
【請求項６】
前記ケース本体の側面部に、前記スマートフォンの電源スイッチ、音量調節ボタン及び外部機器接続端子へのアクセスを可能とするためのスリットが設けられていることを特徴とする、請求項１から５のいずれか一項記載のスマートフォンケース。
【考案の詳細な説明】
【技術分野】
【０００１】
本考案はスマートフォンを首又は肩から下げて携帯するためのスマートフォンケースに関する。
【背景技術】
【０００２】
ストラップが連結された二つ折り構造のケース本体にスマートフォンを挟んだ状態で収容するスマートフォンケースが知られている（特許文献１）。
【先行技術文献】
【特許文献】
【０００３】
【特許文献１】実用新案登録第３２０６２４８号
【考案の概要】
【考案が解決しようとする課題】
【０００４】
しかし、特許文献１のスマートフォンケースは、スマートフォンのカメラ機能を使用して写真撮影をする際には、その都度、二つ折り構造のケース本体を開いてスマートフォンの操作部を露出させる作業を必要とする。
【０００５】
そこで本考案は、スマートフォンのカメラ機能を使用して写真撮影をする際に、スマートフォンの操作部を露出させる作業を行う必要がないネックストラップ付きスマートフォンケースを提供する。
【課題を解決するための手段】
【０００６】
上記課題を解決するために、請求項１のスマートフォンケースは、カメラ機能を有する略長方形板状のスマートフォンを首又は肩から下げて携帯するためのスマートフォンケースであって、前記スマートフォンを収容するケース本体と、前記ケース本体に連結されたネックストラップと、を有し、前記ケース本体は、前記スマートフォンのメインカメラレンズを常時露出させるレンズ窓部と、前記スマートフォンの操作部を常時露出させる操作窓部と、を有することを特徴とする。
【０００７】
上記のように構成されたスマートフォンケースによれば、スマートフォンのメインカメラレンズがレンズ窓部から常時露出しており、スマートフォンの操作部が操作窓部から常時露出しているので、スマートフォンのカメラ機能を使用して写真撮影をする際に、スマートフォンの操作部を露出させる作業を行う必要がない。
【０００８】
請求項２のスマートフォンケースは、請求項１のスマートフォンケースにおいて、前記ケース本体は、正面視及び背面視略長方形状に形成されており、前記ケース本体の長手方向一端側に前記ネックストラップとの連結部が設けられ、前記ケース本体の長手方向他端側に前記レンズ窓部が設けられていることを特徴とする。
【０００９】
上記のように構成されたスマートフォンケースは、ケース本体をネックストラップで吊り下げることにより、ネックストラップとの連結部が設けられている側（ケース本体の長手方向一端側）が上向き、レンズ窓部が設けられている側（ケース本体の長手方向他端側）が下向きの姿勢になる。スマートフォンは、通常の縦持ち使用時における上端近傍背面にメインカメラレンズが設けられているので、レンズ窓部からメインカメラレンズが露出するように、スマートフォンをケース本体に収容して、ケース本体をネックストラップで吊り下げることにより、スマートフォンは、通常の縦持ち使用時とは逆さまの姿勢で首又は肩から下げられる。このため、通常の縦持ち使用時には、ネックストラップとの連結部が、メインカメラレンズ及び操作部よりも下方に位置した状態になる。このため、スマートフォンのカメラ機能を使用して写真撮影をする際にネックストラップが邪魔にならない。
【００１０】
請求項３のスマートフォンケースは、請求項１又は２記載のスマートフォンケースにおいて、前記操作窓部は、前記スマートフォンの前記操作部として機能し得るタッチディスプレイの全体又は大部分を露出させ得ることを特徴とする。
【００１１】
上記のように構成されたスマートフォンケースによれば、操作部として機能し得るタッチディスプレイの全体又は大部分を常に露出させておくことができるので、スマートフォンをケース本体に収容した状態で、タッチディスプレイに表示される画像の視認及びタッチ操作を支障なく行うことができる。
【００１２】
請求項４のスマートフォンケースは、請求項１から３のいずれか一項記載のスマートフォンケースにおいて、前記ケース本体の前記長手方向一端部には前記スマートフォンを出し入れするための出入口が設けられており、当該出入口の少なくとも一部はフラップ状の蓋で開閉可能に閉じられ、当該蓋は磁気的吸着手段により閉状態に保たれることを特徴とする。
【００１３】
上記のように構成されたスマートフォンケースによれば、スマートフォンをケース本体に収容した後、フラップ状の蓋を閉状態にすることにより、ケース本体からのスマートフォンの脱落を防止できる。蓋が磁気的吸着手段により閉状態に保たれるので、蓋の開閉操作を容易に行って、スマートフォンをケース本体に出し入れすることもできる。
【００１４】
請求項５のスマートフォンケースは、請求項１から４のいずれか一項記載のスマートフォンケースにおいて、前記ケース本体の前記レンズ窓部が設けられている側の面にカード収納部が設けられていることを特徴とする。
【００１５】
上記のように構成されたスマートフォンケースによれば、ユーザの住所等を記載した用紙やカードをカード収納部に収納してスマートフォンと一緒に携帯できる。
【００１６】
請求項６のスマートフォンケースは、請求項１から５のいずれか一項記載のスマートフォンケースにおいて、前記ケース本体の側面部に、前記スマートフォンの電源スイッチ、音量調節ボタン及び外部機器接続端子へのアクセスを可能とするためのスリットが設けられていることを特徴とする。
【００１７】
上記のように構成されたスマートフォンケースによれば、スマートフォンをケース本体に収容した状態で、スマートフォンの電源スイッチ、音量調節ボタン及び外部機器接続端子にアクセスできる。
【考案の効果】
【００１８】
請求項１の考案によれば、スマートフォンのカメラ機能を使用して写真撮影をする際に、スマートフォンの操作部を露出させる作業を行う必要がないネックストラップ付きスマートフォンケースを実現できる。
【００１９】
請求項２の考案によれば、スマートフォンのカメラ機能を使用して写真撮影をする際にネックストラップが邪魔にならないネックストラップ付きスマートフォンケースを実現できる。
【００２０】
請求項３の考案によれば、スマートフォンをケース本体に収容した状態で、タッチディスプレイに表示される画像の視認及びタッチ操作を支障なく行うことができるネックストラップ付きスマートフォンケースを実現できる。
【００２１】
請求項４の考案によれば、スマートフォンの脱落を防止するとともに、スマートフォンをケース本体に容易に出し入れできるネックストラップ付きスマートフォンケースを実現できる。
【００２２】
請求項５の考案によれば、ユーザの住所等を記載した用紙やカードをカード収納部に収納してスマートフォンと一緒に携帯できるネックストラップ付きスマートフォンケースを実現できる。
【００２３】
請求項６の考案によれば、スマートフォンをケース本体に収容した状態で、スマートフォンの電源スイッチ、音量調節ボタン及び外部機器接続端子にアクセスできるネックストラップ付きスマートフォンケースを実現できる。
【図面の簡単な説明】
【００２４】
【図１】本考案のスマートフォンケースの一実施形態の正面図である。
【図２】図１のスマートフォンケースの背面図である。
【図３】図１のＡ−Ａ断面図である。
【図４】図１のスマートフォンケースの底面図である。
【図５】図１のスマートフォンケースの右側面図である。
【図６】図１のスマートフォンケースの左側面図である。
【図７】図１のスマートフォンケースの正面側斜視図である。
【図８】図１のスマートフォンケースの背面側斜視図である。
【図９】図１のスマートフォンケースの使用状態の正面側斜視図である。
【図１０】図１のスマートフォンケースの使用状態の背面側斜視図である。
【考案を実施するための形態】
【００２５】
以下、添付図面を参照して、本考案の一実施形態について説明する。
【００２６】
［構成］
図１〜図８には、スマートフォンケース１０の構成が示されている。図９及び図１０には、スマートフォンケース１０の使用状態すなわち、スマートフォン１００をスマートフォンケース１０のケース本体２０に収容した状態が示されている。スマートフォン１００は、携帯電話機能、画像表示機能、音楽再生機能、録音機能、カメラ機能、等、各種機能を有する略長方形板状の携帯通信端末である。
【００２７】
図９に示すように、スマートフォン１００は、その前面１００ａの大部分がタッチディスプレイ１１１になっている。タッチディスプレイ１１１は、スマートフォン１００の各種機能を実行するための操作部として機能する。スマートフォン１００の前面１００ａには、サブカメラレンズ１４０が設けられている。
サブカメラレンズ１４０は、スマートフォン１００の通常の縦持ち使用時における上部の左隅部に設けられている。スマートフォン１００の長手方向一端部にはスピーカ１５１が設けられ、長手方向一端部にはマイク１５２が設けられている。
【００２８】
図１０に示すように、スマートフォン１００の背面１００ｂの一端近傍には、メインカメラレンズ１２０が設けられている。この例では、メインカメラレンズ１２０は、広角レンズ１２１と望遠レンズ１２２とにより構成されている。
広角レンズ１２１と望遠レンズ１２２との間には、ＬＥＤフラッシュ１２３が設けられている。スマートフォン１００の側面には、電源スイッチ１３１、音量調節ボタン１３２、１３３、マイクロＵＳＢ端子（外部機器接続端子）１３４、図示しないイヤホン端子（外部機器接続端子）、等が設けられている。
【００２９】
スマートフォンケース１０は、スマートフォン１００を首又は肩から下げて携帯するためのものであり、図１、図２、図９及び図１０に示すように、スマートフォン１００を収容するケース本体２０と、ケース本体２０に連結されたネックストラップ３０と、を有する。ケース本体２０は、スマートフォン１００の寸法・形状に合わせて、正面視及び正面視ともに略長方形状に形成されており、ケース本体２０の長手方向一端２０ａ側にネックストラップ３０との連結部２３ａ、２３ｂが設けられている。
【００３０】
ケース本体２０には、図１０に示すように、スマートフォン１００のメインカメラレンズ１２０を完全に常時露出させるレンズ窓部２１と、図９に示すように、スマートフォン１００のタッチディスプレイ１１１の全体を常時露出させる操作窓部２２と、が設けられている。図２及び図１０に示すように、レンズ窓部２１は、ケース本体２０の長手方向他端２０ｂ側に設けられている。レンズ窓部２１は、複数のレンズ（この例では、広角レンズ１２１及び望遠レンズ１２２）からなるメインカメラレンズ１２０を完全に露出させることができるように大きな開口面積を有している。
図９に示すように、操作窓部２２からは、タッチディスプレイ１１１と共に、サブカメラレンズ１４０、スピーカ１５１及びマイク１５２が常時完全に露出している。
【００３１】
図３、図９及び図１０に示すように、ケース本体２０の長手方向一端２０ａには、スマートフォン１００を出し入れするための出入口２５が設けられている。出入口２５の一部はフラップ状の蓋２６で開閉可能に閉じられている。
蓋２６は磁気的吸着手段２７により閉状態に保たれる。磁気的吸着手段２７は、蓋２６側に固定された磁性体と、ケース本体２０側に固定された磁性体とにより構成され、両磁性体間に生じる磁気的引力によって蓋２６を閉状態に保つ。
【００３２】
図２、図８及び図１０に示すように、ケース本体２０のレンズ窓部２１が設けられている側の面２０ｃには、カード収納部２８が設けられている。カード収納部２８は、左右一方の側（図２、図８及び図１０における左側）にカード差込口２８ａを有している。
【００３３】
図３〜図１０に示すように、ケース本体２０の側面部には、スマートフォン１００の電源スイッチ１３１、音量調節ボタン１３２、１３３、マイクロＵＳＢ端子（外部機器接続端子）１３４、図示しないイヤホン端子（外部機器接続端子）、等へのアクセスを可能とするための複数のスリット１４１〜１４４が設けられている。
【００３４】
［作用・効果］
上記のように構成されたスマートフォンケース１０によれば、スマートフォン１００のメインカメラレンズ１２０がレンズ窓部２１から常時露出しており、スマートフォン１００のタッチディスプレイ１１１が操作窓部２２から常時露出しているので、スマートフォン１００のカメラ機能を使用して写真撮影をする際に、スマートフォン１００のタッチディスプレイ１１１を露出させる作業を行う必要がない。
【００３５】
また、上記のように構成されたスマートフォンケース１０は、ケース本体２０をネックストラップ３０で吊り下げることにより、図１０に示すように、ネックストラップ３０との連結部２３ａ、２３ｂが設けられている側（ケース本体２０の長手方向一端２０ａ側）が上向き、レンズ窓部２１が設けられている側（ケース本体２０の長手方向他端２０ｂ側）が下向きの姿勢になる。
スマートフォン１００は、通常の縦持ち使用時における上端近傍背面１００ｂにメインカメラレンズ１２０が設けられているので、レンズ窓部２１からメインカメラレンズ１２０が露出するように、スマートフォン１００をケース本体２０に収容して、ケース本体２０をネックストラップ３０で吊り下げることにより、スマートフォン１００は、通常の縦持ち使用時とは逆さまの姿勢で首又は肩から下げられる。
このため、通常の縦持ち使用時には、ネックストラップ３０との連結部２３ａ、２３ｂが、メインカメラレンズ１２０及びタッチディスプレイ１１１よりも下方に位置した状態になる。このため、スマートフォン１００のカメラ機能を使用して写真撮影をする際にネックストラップ３０が邪魔にならない。
【００３６】
また、上記のように構成されたスマートフォンケース１０によれば、タッチディスプレイ１１１の全体を常に露出させておくことができるので、スマートフォン１００をケース本体２０に収容した状態で、タッチディスプレイ１１１に表示される画像の視認及びタッチ操作を支障なく行うことができる。
【００３７】
また、上記のように構成されたスマートフォンケース１０によれば、スマートフォン１００をケース本体２０に収容した後、フラップ状の蓋２６を閉状態にすることにより、ケース本体２０からのスマートフォン１００の脱落を防止できる。蓋２６が磁気的吸着手段２７により閉状態に保たれるので、蓋２６の開閉操作が容易であり、スマートフォン１００をケース本体２０に容易に出し入れすることができる。
【００３８】
また、上記のように構成されたスマートフォンケース１０によれば、ユーザの住所等を記載した用紙やカードをカード収納部２８に収納してスマートフォン１００と一緒に携帯できる。カード収納部２８のカード差込口２８ａが左右片側（この例では左側）に設けられているので、スマートフォン１００の携帯時及び使用時にカード収納部２８からカードが脱落し難い。
【００３９】
また、上記のように構成されたスマートフォンケース１０によれば、スマートフォン１００をケース本体２０に収容した状態で、スマートフォン１００の電源スイッチ１３１、音量調節ボタン１３２、１３３、マイクロＵＳＢ端子（外部機器接続端子）１３４、イヤホン端子（外部機器接続端子）、等にアクセスできる。
【００４０】
従って、本実施の形態に係るスマートフォンケース１０にあっては、特に、老人による使用に適しており、ネックストラップ３０が装着されていることから、ネックストラップ３０を首又は肩にかけて、首又は肩からスマートフォン１００をスマートフォンケース１０に収納した状態のままでスマートフォン１０の操作及びカメラ操作を行うことができると共に、カード収納部２８を利用して自分の住所等の連絡先を記載したメモ等を収納できることから、外出先における様々な事態に有効に対応することができる。
【００４１】
なお、本考案は、上記実施形態に限定されない。たとえば、上記の例では、蓋２６を閉状態に保つための手段として磁気的吸着手段２７を採用したが、ボタン、面ファスナなどその他の手段を採用してもよい。
【符号の説明】
【００４２】
１０  スマートフォンケース
２０  ケース本体
２０ａ  長手方向一端
２０ｂ  長手方向他端
２０ｃ  面
２１  レンズ窓部
２２  操作窓部
２３ａ  連結部
２３ｂ  連結部
２５  出入口
２６  蓋
２７  磁気的吸着手段
２８  カード収納部
２８ａ  カード差込口
３０  ネックストラップ
１００  スマートフォン
１００ａ  前面
１１１  タッチディスプレイ（操作部）
１２０  メインカメラレンズ
１３１  電源スイッチ
１３２  音量調節ボタン
１３３  音量調節ボタン
１３４  マイクロＵＳＢ端子（外部機器接続端子）
１４０  サブカメラレンズ
１４１〜１４４  スリット
【図１】
0003226142.tif 000003
【図２】
0003226142.tif 000004
【図３】
0003226142.tif 000005
【図４】
0003226142.tif 000006
【図５】
0003226142.tif 000007
【図６】
0003226142.tif 000008
【図７】
0003226142.tif 000009
【図８】
0003226142.tif 000010
【図９】
0003226142.tif 000011
【図１０】
0003226142.tif 000012
【手続補正書】
【提出日】令和2年3月2日(2020.3.2)
【手続補正１】
【補正対象書類名】実用新案登録請求の範囲
【補正対象項目名】請求項４
【補正方法】変更
【補正の内容】
【請求項４】
前記ケース本体の前記長手方向一端部には前記スマートフォンを出し入れするための出入口が設けられており、当該出入口の少なくとも一部はフラップ状の蓋で開閉可能に閉じられ、当該蓋は磁気的吸着手段により閉状態に保たれることを特徴とする、請求項２記載のスマートフォンケース。